【手続補正書】
【提出日】平成20年3月11日(2008.3.11)
【手続補正１】
【補正対象書類名】特許請求の範囲
【補正対象項目名】全文
【補正方法】変更
【補正の内容】
【特許請求の範囲】
【請求項１】
記録媒体に画像を形成する電子写真画像形成装置において、
（１）開口と、
（２）移動可能に設けられた開閉カバーであって、前記開口を開放する開放位置と、前記開口を塞ぐ閉鎖位置と、をとり得る開閉カバーと、
（３）本体電気接点と、
（４）移動可能に設けられた、前記本体電気接点を支持する本体支持部材と、
（５）前記電子写真画像形成装置の装置本体に取り外し可能に装着されたプロセスカートリッジであって、電子写真感光体ドラムと、前記電子写真感光体ドラムに作用するプロセス手段と、前記プロセスカートリッジに関する情報を記憶するメモリ部材と、前記メモリ部材と電気的に接続したカートリッジ電気接点であって、前記プロセスカートリッジを前記装置本体に設けられたカートリッジ装着位置に装着した後、前記開閉カバーを前記開放位置から前記閉鎖位置に移動した際に、前記本体電気接点と電気的に接続されるカートリッジ電気接点と、前記プロセスカートリッジを前記開口を通過させて前記カートリッジ装着位置に装着した際に、そして、前記開閉カバーを前記開放位置から移動する前に、前記装置本体に移動可能に設けられた、前記本体電気接点を支持する本体支持部材と係合して、前記プロセスカートリッジの長手方向における前記本体支持部材の位置決めを行う第１の係合部と、前記プロセスカートリッジを前記装着位置に装着した後、前記開閉カバーを前記開放位置から前記閉鎖位置に移動する際に、前記開閉カバーが移動するのに連動する前記本体支持部材と係合して、前記本体電気接点と前記カートリッジ電気接点とが電気的に接続する前に、前記長手方向と交差する方向における前記本体支持部材の位置決めを行う第２の係合部と、を有するプロセスカートリッジと、
を有することを特徴とする電子写真画像形成装置。
【請求項２】
前記本体支持部材は、前記第１の係合部と係合する第１の本体係合部と、前記第２の係合部と係合する第２の本体係合部と、を有することを特徴とする請求項１に記載の電子写真画像形成装置。
【請求項３】
前記第１の本体係合部、前記第２の本体係合部、及び、前記本体電気接点は、前記長手方向において並んで設けられていることを特徴とする請求項２に記載の電子写真画像形成装置。
【請求項４】
前記本体支持部材は、前記装置本体に移動可能に設けられた第１の本体支持部材と、前記第１の本体支持部材に移動可能に設けられた、前記本体電気接点を支持する第２の本体支持部材と、を有することを特徴とする請求項１乃至３のいずれか１項に記載の電子写真画像形成装置。
【請求項５】
前記第１の本体支持部材は、前記第１の係合部と係合する第１の本体係合部を有し、前記第２の本体支持部材は、前記第２の係合部と係合する第２の本体係合部を有することを特徴とする請求項４に記載の電子写真画像形成装置。
【請求項６】
前記本体電気接点は、第１の本体接点部と第２の本体接点部とを有し、
前記第１の本体接点部と前記第２の本体接点部は、前記長手方向において並んで設けられていることを特徴とする請求項１乃至５のいずれか１項に記載の電子写真画像形成装置。
【請求項７】
更に、前記電子写真画像形成装置は、前記本体電気接点と前記カートリッジ電気接点とが離間する方向に、前記本体支持部材を付勢する付勢手段を有することを特徴とする請求項１乃至６のいずれか１項に記載の電子写真画像形成装置。
【請求項８】
更に、前記電子写真画像形成装置は、前記開閉カバーを前記開放位置から前記閉鎖位置に移動した際に、前記本体電気接点と前記カートリッジ電気接点とが接触する方向に、前記本体支持部材を押圧する押圧部材を有することを特徴とする請求項１乃至７のいずれか１項に記載の電子写真画像形成装置。
【手続補正２】
【補正対象書類名】明細書
【補正対象項目名】発明の名称
【補正方法】変更
【補正の内容】
【発明の名称】電子写真画像形成装置
【手続補正３】
【補正対象書類名】明細書
【補正対象項目名】０００１
【補正方法】変更
【補正の内容】
【０００１】
本発明は、プロセスカートリッジを着脱可能な電子写真画像形成装置に関する。
【手続補正４】
【補正対象書類名】明細書
【補正対象項目名】００１０
【補正方法】変更
【補正の内容】
【００１０】
本発明の目的は、本体電気接点と、カートリッジ電気接点とを、安定した状態でより一層確実に接触させることを実現した電子写真画像形成装置を提供することにある。
【手続補正５】
【補正対象書類名】明細書
【補正対象項目名】００１１
【補正方法】変更
【補正の内容】
【００１１】
本発明の他の目的は、本体電気接点とカートリッジ電気接点とが電気的に接続する前に、プロセスカートリッジの長手方向、及び、前記長手方向と交差する方向における前記本体電気接点の位置決めをおこなうことを実現した電子写真画像形成装置を提供することにある。
【手続補正６】
【補正対象書類名】明細書
【補正対象項目名】００１２
【補正方法】変更
【補正の内容】
【００１２】
本発明の他の目的は、開閉カバーを開放位置から移動する前に、プロセスカートリッジの長手方向における本体電気接点の位置決めを行うことを実現した電子写真画像形成装置を提供することにある。
【手続補正７】
【補正対象書類名】明細書
【補正対象項目名】００１３
【補正方法】変更
【補正の内容】
【００１３】
本発明の他の目的は、本体電気接点と、カートリッジ電気接点とが接触する位置の精度を向上させることを実現した電子写真画像形成装置を提供することにある。
【手続補正８】
【補正対象書類名】明細書
【補正対象項目名】００１４
【補正方法】変更
【補正の内容】
【００１４】
本発明の他の目的は、小型化を実現した電子写真画像形成装置を提供することにある。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
本発明の他の目的は、記録媒体に画像を形成する電子写真画像形成装置において、（１）開口と、（２）移動可能に設けられた開閉カバーであって、前記開口を開放する開放位置と、前記開口を塞ぐ閉鎖位置と、をとり得る開閉カバーと、（３）本体電気接点と、（４）移動可能に設けられた、前記本体電気接点を支持する本体支持部材と、（５）前記電子写真画像形成装置の装置本体に取り外し可能に装着されたプロセスカートリッジであって、電子写真感光体ドラムと、前記電子写真感光体ドラムに作用するプロセス手段と、前記プロセスカートリッジに関する情報を記憶するメモリ部材と、前記メモリ部材と電気的に接続したカートリッジ電気接点であって、前記プロセスカートリッジを前記装置本体に設けられたカートリッジ装着位置に装着した後、前記開閉カバーを前記開放位置から前記閉鎖位置に移動した際に、前記本体電気接点と電気的に接続されるカートリッジ電気接点と、前記プロセスカートリッジを前記開口を通過させて前記カートリッジ装着位置に装着した際に、そして、前記開閉カバーを前記開放位置から移動する前に、前記装置本体に移
動可能に設けられた、前記本体電気接点を支持する本体支持部材と係合して、前記プロセスカートリッジの長手方向における前記本体支持部材の位置決めを行う第１の係合部と、前記プロセスカートリッジを前記装着位置に装着した後、前記開閉カバーを前記開放位置から前記閉鎖位置に移動する際に、前記開閉カバーが移動するのに連動する前記本体支持部材と係合して、前記本体電気接点と前記カートリッジ電気接点とが電気的に接続する前に、前記長手方向と交差する方向における前記本体支持部材の位置決めを行う第２の係合部と、を有するプロセスカートリッジと、を有することを特徴とする電子写真画像形成装置を提供することにある。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
上記目的を達成するために本発明は、記録媒体に画像を形成する電子写真画像形成装置において、（１）開口と、（２）移動可能に設けられた開閉カバーであって、前記開口を開放する開放位置と、前記開口を塞ぐ閉鎖位置と、をとり得る開閉カバーと、（３）本体電気接点と、（４）移動可能に設けられた、前記本体電気接点を支持する本体支持部材と、（５）前記電子写真画像形成装置の装置本体に取り外し可能に装着されたプロセスカートリッジであって、電子写真感光体ドラムと、前記電子写真感光体ドラムに作用するプロセス手段と、前記プロセスカートリッジに関する情報を記憶するメモリ部材と、前記メモリ部材と電気的に接続したカートリッジ電気接点であって、前記プロセスカートリッジを前記装置本体に設けられたカートリッジ装着位置に装着した後、前記開閉カバーを前記開放位置から前記閉鎖位置に移動した際に、前記本体電気接点と電気的に接続されるカートリッジ電気接点と、前記プロセスカートリッジを前記開口を通過させて前記カートリッジ装着位置に装着した際に、そして、前記開閉カバーを前記開放位置から移動する前に、前記装置本体に移動可能に設けられた、前記本体電気接点を支持する本体支持部材と係合して、前記プロセスカートリッジの長手方向における前記本体支持部材の位置決めを行う第１の係合部と、前記プロセスカートリッジを前記装着位置に装着した後、前記開閉カバーを前記開放位置から前記閉鎖位置に移動する際に、前記開閉カバーが移動するのに連動する前記本体支持部材と係合して、前記本体電気接点と前記カートリッジ電気接点とが電気的に接続する前に、前記長手方向と交差する方向における前記本体支持部材の位置決めを行う第２の係合部と、を有するプロセスカートリッジと、を有することを特徴とする。
【手続補正１３】
【補正対象書類名】明細書
【補正対象項目名】００５７
【補正方法】変更
【補正の内容】
【００５７】
また、ドラム枠体１８は、メモリ手段６０をドラム枠体１８に取付けた時に、メモリチップ６０ｃが座面１８ａと干渉を防ぐために、凹部１８ｃを有している。更に、ドラム枠体１８に取付けられたメモリ手段６０に隣接する部位には、第１の係合部１８ｆを有する。第１の係合部１８ｆは、カートリッジＢの挿入位置にしたがって画像形成装置Ａに設けられた可動接点保持部材５０が有する第１の保持部材（第１の本体支持部材）５２の係合部５２ｃ（第１の本体係合部）の位置（感光体ドラムの長手方向の位置）を規制する。ここで第１の係合部１８ｆは溝形状である。第１の係合部１８ｆは、保持部材の入口部に面
取り１８ｆ１が設けてある。これによって前記係合部５２ｃが正しく所定方向に案内されやすい形状としてある。
【手続補正１４】
【補正対象書類名】明細書
【補正対象項目名】００５８
【補正方法】変更
【補正の内容】
【００５８】
また、カートリッジＢは、第２の係合部１８ｄ１，１８ｄ２を有する。第２の係合部１８ｄ１，１８ｄ２は、画像形成装置Ａに設けられた保持部材５０が有する第２の保持部材５３の係合部５３ｂ１，５３ｂ２（第２の本体係合部）の位置（第１の係合部１８ｆが位置決めする方向に対して、交差する方向）を規制するものである。また、第２の係合部１８ｄ１，１８ｄ２は溝形状である。また、第２の係合部１８ｄ１，１８ｄ２の先端部には、第２の保持部材（第２の本体支持部材）５３の係合部５３ｂ１，５３ｂ２挿入方向に面取り１８ｄ３を設けてある。前記構成によって、第２の保持部材５３の係合部５３ｂ１，５３ｂ２が案内されやすい形状としてある。ここで、図１０に示すように、第１の係合部１８ｆ、メモリ手段接点部６０ａ１，６０ａ２、及び、第２の係合部１８ｄ１，１８ｄ２は、プロセスカートリッジの長手方向において並んで設けられている。
【手続補正１５】
【補正対象書類名】明細書
【補正対象項目名】００６７
【補正方法】変更
【補正の内容】
【００６７】
図１３（ａ）に示すように、本体電気接点５４は、ばね材である本体接点部５４ａ，５４ｂ（第１の本体接点部，第２の本体接点部）を保持している。本体接点部５４ａ，５４ｂは、感光体ドラム７の長手方向において並んで設けられている。画像形成装置Ａ側に設けられた制御基板（不図示）に束線（不図示）を介して電気的に接続されている。また、本体電気接点５４は、第２の保持部材５３に取付けられる。
【手続補正１６】
【補正対象書類名】明細書
【補正対象項目名】００７１
【補正方法】変更
【補正の内容】
【００７１】
図１３（ｂ）に示すように、第１の保持部材５２は、前述した第１の係合部１８ｆに係合する係合部５２ｃ（第１の本体係合部）を有する。そして、係合部５２ｃの先端部は面取り５２ｃ１がなされている。また、図１３（ａ）に示すように、第２の保持部材５３は、第２の係合部１８ｄ１，１８ｄ２に係合する係合部５３ｂ１，５３ｂ２（第２の本体係合部）を有する。ここで、図１３（ｃ）に示すように、係合部５２ｃ、係合部５３ｂ１，５３ｂ２、本体電気接点５４は、感光体ドラム７の長手方向において並んで設けられている。更に、図１３（ａ）に示すように、第２の保持部材５３は、前述したカートリッジＢの規制部１８ｅ１，１８ｅ２，１８ｅ３と当接する当接部５３ｃ１，５３ｃ２，５３ｃ３を有している。